(57)【要約】【課題】  本発明は２種類の新型の小型のＰＣカードとＬ字状のＰＣカードに用いられ、且つＰＣカードが平滑に挿入されるカードコネクタを提供する。【解決手段】  本発明のカードコネクタは、ハウジングと、該ハウジングに取り付けられる絶縁本体と、該絶縁本体に取り付けられる導電端子と、ハウジングに取り付けられ、導入槽を有する導入体とを含む。その中で、前記ハウジングは、複数の側壁と、Ｌ字状のスペースと、前記側壁に設置される複数の第１突部と、前記スペースに設置される複数の第２突部と、該第１突部と第２突部からなる導入槽と、を有する。【選択図】図３
2005150086.tif 000002
【特許請求の範囲】
【請求項１】
カードコネクタにおいて、
複数の側壁と、Ｌ字状のスペースと、前記側壁に設置される複数の第１突部と、前記スペースに設置される複数の第２突部と、該第１突部と第２突部からなる第１導入槽、第２導入槽と、を含むハウジングと、
該ハウジングに取り付けられる絶縁本体と、
該絶縁本体に取り付けられる導電端子と、
該ハウジングに取り付けられ、第３導入槽を有する導入体と、
を備えることを特徴とするカードコネクタ。
【請求項２】
前記複数の第２突部は突出するように二つの縦列に配列され、隣接する第２突部の間に隙間を空けることを特徴とする請求項１に記載のカードコネクタ。
【請求項３】
前記複数の第１突部は、お互いに連接し、第２突部と対向するように突出することを特徴とする請求項２に記載のカードコネクタ。
【請求項４】
弾性を有する弾性アームが、前記両列での両対の隣接する第２突部の間に設置されることを特徴とする請求項２に記載のカードコネクタ。
【請求項５】
前記導入体は、第２係合塊を有するベースと、延伸壁と突出辺と第３係合塊とを有する実装部と、を含むことを特徴とする請求項１に記載のカードコネクタ。
【請求項６】
前記第３導入槽は、実装部に連接するベースの側辺と延伸壁と突出辺とから形成されることを特徴とする請求項５に記載のカードコネクタ。
【請求項７】
前記第２係合塊は前記第１突部に係合することを特徴とする請求項５に記載のカードコネクタ。
【請求項８】
前記ハウジングには前記第３係合塊に係合する第１開孔が開設されることを特徴とする請求項５に記載のカードコネクタ。
【請求項９】
前記絶縁本体は、導電端子が配置される底部と、側壁と、第１係合塊が設置される前壁と、を含むことを特徴とする請求項１に記載のカードコネクタ。
【請求項１０】
前記ハウジングには前記第１係合塊に係合する開槽が開設されることを特徴とする請求項９に記載のカードコネクタ。
【発明の詳細な説明】
【技術分野】
【０００１】
本発明は電気コネクタに関し、特に、パーソナルコンピューターに用いてカードを収容するための電気コネクタに関するものである。
【背景技術】
【０００２】
従来の電子カードの種類は多く、異なる種類の電子カードは、異なる設備に用いられる。それらの電子カードは互換性と適合性がなく、資料を互換することが実現できなくなっている。その問題を解決するため、ＰＣＭＣＩ(Personal Computer Memory Card International Association)は、異なる電子カードの規格の標準を制定している。標準の電子カードはＰＣカードと呼ばれている。パーソナルコンピューターの発展に従って、信号伝送装置は小型化、軽量化されている。そして、ＰＣカードはパーソナルコンピューターでの使用が広がっている。今まで、ＰＣＭＣＩに制定された標準のＰＣカードは三種類である。
【０００３】
しかし、データ科学技術の発展に従って、データの貯蔵量及び伝送速度に対する要求も高くなっているため、ＰＣＭＣＩは新型のＰＣカードの標準を制定している。新型のＰＣカードは伝送速度がいっそう速くなっているが、体積がいっそう小さくなっている。２種類の新型のＰＣカードは図１に示される。第１ＰＣカード５０と第２ＰＣカード６０の厚さが同じであるとともに、それらの挿入部５１，６１の構造が同じである。且つ、第１ＰＣカード５０の体積は、従来のＰＣカードの体積の約半分になり、第２ＰＣカード６０のＬ字のような構造は、従来のＰＣカードの構造と異なる。
【０００４】
異なるＰＣカードは異なるカードコネクタに取り付けられる。そして、２種類の新型のＰＣカードに対応する新しい２種類のカードコネクタが必要になる。更に、２種類の新型のＰＣカードが用いられるパーソナルコンピューターは小型になっているとともに、全部で２種類の新型のＰＣカードに対応する新しいカードコネクタを設計することが必要である。
【発明の開示】
【発明が解決しようとする課題】
【０００５】
本発明は、２種類の新型の小型のＰＣカードとＬ字状のＰＣカードに用いられ、且つＰＣカードが平滑に挿入されるカードコネクタを提供する。
【課題を解決するための手段】
【０００６】
本発明のカードコネクタは、ハウジングと、該ハウジングに取り付けられる絶縁本体と、該絶縁本体に取り付けられる導電端子と、ハウジングに取り付けられ、導入槽を有する導入体とを含む。その中で、前記ハウジングは、複数の側壁と、Ｌ字状のスペースと、前記側壁に設置される複数の第１突部と、前記スペースに設置される複数の第２突部と、該第１突部と第２突部からなる導入槽と、を有する。
【発明の効果】
【０００７】
従来の技術に比べると、本発明は以下の長所がある。本発明のカードコネクタは、Ｌ字状のスペースを有するハウジングによって、２種類の新型の小型のＰＣカードとＬ字状のＰＣカードに用いられる。且つ、スペースに位置する第１突部と第２突部からなる導入槽と、導入体の導入槽によって、ＰＣカードがカードコネクタに平滑に挿入される。
【発明を実施するための最良の形態】
【０００８】
図１〜図７を参照すると、本発明のカードコネクタ１００は、絶縁本体１と、導電端子２と、ハウジング３と、導入体４とを備える。図３に示されるように、絶縁本体１は、底部１２と、該底部１２から上向きに伸びる一対の側壁１１と、該一対の側壁１１に連接する前壁１３と、底部１２から下向きに突伸する定位脚１４とを含む。該側壁１１には、凹槽１１１と、該凹槽１１１に嵌め込まれる係合片１１２とが設置される。該係合片１１２には上向きに突出する耳片１１２１が設けられる。前記前壁１３の中央には前へ突出する第１係合塊１３１が設置される。
【０００９】
図３を参照すると、複数の導電端子２は行列で配列される。それは、保持部２２と、該保持部２２の一端から下向きに折り曲がる半田部２１と、該保持部２２の他の一端から上向きに折り曲がる接触部２３とを含む。
【００１０】
図２、図３、図４、図６及び図７を参照すると、Ｌ字状のハウジング３は、本体部３０と、該本体部３０から下向きに伸びる第１フランジ３６と、第１側壁３１と、第１側壁３１と垂直に設置され、第２フランジ３２１を含む第２側壁３２と、第１側壁３１と平行に配置され、第３フランジ３３１を含む第３側壁３３と、第３側壁３３に対向して、第４フランジ３４１を含む第４側壁３４と、第４側壁３４と相隣して連接しない第５側壁３５と、それらの側壁３１，３２，３３，３４，３５及び第１フランジ３６に囲まれるスペース３７と、を備える。その中で、第１フランジ３６の中央には開槽３６１が開設される。第１側壁３１には、第１開孔３１３と、狭いスロット３１２と、が開設される。第３側壁３３の第３フランジ３３１と第４側壁３４の第４フランジ３４１には、本体部３０に向かって、お互いに連接する複数の第１突部３３１１，３４１１が両列をなすように設けられる。且つ、定位孔３３２１、３４２１を有し、定位や接地などのための定位部３３２、３４２が、第３フランジ３３１、第４フランジ３４１に位置する。第３側壁３３と第４側壁３４の相違点は、第４側壁３４の長さが第３側壁３３の長さより長いことであり、第４側壁３４の第１突部３４１１が第３側壁３３の突部３３１１より多いことである。第５側壁３５は、第４側壁３４の外側に、第４側壁３４と平行に設置される。スペース３７に、縦列に配列される第２突部３０１が前記第１突部３３１１、３４１１と対向するように突出する。隣接する第２突部３０１の間に隙間を空け、一対の隣接する第２突部３０１の間に、弾性を有する弾性アーム３０２が設置される。
【００１１】
図３と図５を参照すると、導入体４はほぼ三角形になる。これは、ベース４１と、ベース４１の一つの側辺から上向きに延設される実装部４２と、を備える。ほぼ三角状のベース４１の他の側辺には第１突部３３１１に対応する複数の第２係合塊４１１が設けられる。実装部４２は、延伸壁４２０と、該延伸壁４２０から外側に突出する第３係合塊４２２と、該延伸壁４２０の頂上から内に突設する突出辺４２１とを有する。第３導入槽４３はベース４１の側辺と延伸壁４２０と突出辺４２１とから形成される。
【００１２】
図３、図６及び図７を参照すると、カードコネクタ１００を取り付ける時、まず、前記導電端子２を絶縁本体１に結合する。保持部２２が絶縁本体１の底部１２に位置し、半田部２１が絶縁本体１の前壁１３から伸出する。次に、導電端子２を有する絶縁本体１をハウジング３に組み合わせる時、絶縁本体１の係合片１１２は凹槽１１１に嵌め込まれ、係合片１１２の耳片１１２１がハウジング３のスロット３１２に係合する。且つ、絶縁本体１の第１係合塊１３１がハウジング３の開槽３６１に係合する。又、導入体４をハウジング３に組み合わせる時、導入体４のベース４１がハウジング３の第２フランジ３２１と第３フランジ３３１に位置し、導入体４の第２係合塊４１１がハウジング３の第１突部３３１１の背面に嵌め込まれ、第３係合塊４２２が第１開孔３１３に係合する。ハウジング３の定位部３３２、３４２と絶縁本体１の定位脚１４が外部の設備に接続される。
【００１３】
図１と図６と図７を参照すると、使用時には、第１カード５０の挿入部５１が、ハウジング３の第２導入槽３０４と第３導入槽４３によって、スペース３７に挿入され、絶縁本体１に連接し、導電端子２と電気接続を達成する。Ｌ字状の第２カード６０の挿入部６１が、順番に、第１導入槽３０３と第２導入槽３０４によって、第３導入槽４３と第２導入槽３０４によって、スペース３７に挿入され、絶縁本体１に連接し、導電端子２と電気接続を達成する。
【００１４】
総じて、本発明の多数の特徴及び長所など、その構造及び機能が共に前述の記載により掲げられている。また前記の説明は、本発明に基づきなしうる細部の修正或いは変更など、いずれも本発明の請求範囲に属するものとする。
【産業上の利用可能性】
【００１５】
本発明は電気コネクタに関し、特に、２種類の新型の小型のＰＣカードとＬ字状のＰＣカードに用いられ、且つＰＣカードが平滑に挿入されるカードコネクタに関するものである。
【図面の簡単な説明】
【００１６】
【図１】本発明のカードコネクタに対応する第１カードと第２カードの立体図である。
【図２】本発明のカードコネクタの立体組合図である。
【図３】本発明のカードコネクタの分解俯瞰図である。
【図４】本発明のカードコネクタのハウジングの立体図である。
【図５】本発明のカードコネクタの導入体の立体図である。
【図６】本発明のカードコネクタの他の立体組合図である。
【図７】本発明のカードコネクタの他の立体組合図である。
【符号の説明】
【００１７】
１  絶縁本体
２  導電端子
３  ハウジング
４  導入体
１１  側壁
１２  底部
１３  前壁
１４  定位脚
２１  半田部
２２  保持部
３０  本体部
３１  第１側壁
３２  第２側壁
３３  第３側壁
３４  第４側壁
３５  第５側壁
３６  第１フランジ
３７  スペース
４１  ベース
４２  実装部
４３  第３導入槽
５０  第１カード
６０  第２カード
５１，６１  挿入部
１００  カードコネクタ
１１１  凹槽
１１２  係合片
１３１  第１係合塊
３０１  第２突部
３０２  弾性アーム
３０３  第１導入槽
３０４  第２導入槽
３１２  スロット
３１３  第１開孔
３２１  第２フランジ
３３１  第３フランジ
３３２、３４２  定位部
３４１  第４フランジ
３６１  開槽
４１１  第２係合塊
４２０  延伸壁
４２１  突出辺
４２２  第３係合塊
１１２１  耳片
３３１１、３４１１  第１突部
３３２１、３４２１  定位孔
【図１】
2005150086.tif 000003
【図２】
2005150086.tif 000004
【図３】
2005150086.tif 000005
【図４】
2005150086.tif 000006
【図５】
2005150086.tif 000007
【図６】
2005150086.tif 000008
【図７】
2005150086.tif 000009